(57)【要約】【課題】  著作権を有する画像データの取り扱いを容易にする。【解決手段】  コンテンツ３は、画像編集ソフトウェア４によって例えばＰＣ１２がライセンスキーを取得している（記憶している）ことが確認されると、デザインレイヤ３０に情報画像３２０が透過して表示されている状態（状態Ｘ）から、デザインレイヤ３０のみが表示されている状態（状態Ｙ）に遷移する。一方、コンテンツ３は、例えばライセンスキーを取得していないデザイナー及びユーザなどがブラウザ等によってコンテンツ３のダウンロード（Ｗｅｂデザインである表示画像５からコンテンツ３の切り出しなどを含む）をすると、デザインレイヤ３０のみが表示されている状態（状態Ｙ）から、デザインレイヤ３０に情報画像３２０が透過して表示されている状態（状態Ｘ）に遷移する。【選択図】          図５
2006180051.tif 000002
【特許請求の範囲】
【請求項１】
少なくとも一部に画像データを有する第１のレイヤと、該第１のレイヤの画像に対して著作権を有する旨の著作権データを有する第２のレイヤとを有することを特徴とする画像データ構造。
【請求項２】
少なくとも一部に画像データを有する第１のレイヤと、該第１のレイヤの画像に対して著作権を有する旨の著作権データを有する第２のレイヤとを有し、前記第２のレイヤの著作権データの表示・非表示を制御することを特徴とする画像データ処理方法。
【請求項３】
前記第２のレイヤの著作権データの表示・非表示を著作権に対するライセンスキーの有無に応じて制御することを特徴とする請求項２記載の画像データ処理方法。
【請求項４】
前記第２のレイヤの著作権データの表示・非表示を所定の時間情報に応じて制御することを特徴とする請求項２記載の画像データ処理方法。
【請求項５】
前記第１のレイヤは、編集可能にされていることを特徴とする請求項２乃至４いずれか記載の画像データ処理方法。
【請求項６】
コンピュータを含む画像データ処理装置において、少なくとも一部に画像データを有する第１のレイヤと、該第１のレイヤの画像に対して著作権を有する旨の著作権データを有する第２のレイヤとを有する画像データ構造に対し、前記第２のレイヤの著作権データの表示・非表示を制御するステップを前記画像データ処理装置のコンピュータに実行させる画像データ処理プログラム。
【請求項７】
少なくとも一部に画像データを有する第１のレイヤと、該第１のレイヤの画像に対して著作権を有する旨の著作権データを有する第２のレイヤとを有する画像データ構造に対し、前記第２のレイヤの著作権データの表示・非表示を制御する表示制御手段を有することを特徴とする画像データ処理装置。
【請求項８】
前記表示制御手段は、前記第２のレイヤの著作権データの表示・非表示を著作権に対するライセンスキーの有無又は所定の時間情報に応じて制御することを特徴とする請求項７記載の画像データ処理装置。
【請求項９】
前記第１のレイヤを編集する編集手段をさらに有し、前記表示制御手段は、前記編集手段が前記第１のレイヤを編集した場合にも、前記第２のレイヤの著作権データの表示・非表示を制御することを特徴とする請求項７又は８記載の画像データ処理装置。
【発明の詳細な説明】
【技術分野】
【０００１】
本発明は、デジタルコンテンツなどの画像データを有する画像データ構造、並びに、デジタルコンテンツなどの画像データを処理する画像データ処理方法、画像データ処理プログラム及び画像データ処理装置に関するものである。
【背景技術】
【０００２】
デジタルカメラ及びインターネットなどの普及に伴い、デジタルカメラ等により撮影されたデジタル画像などのコンテンツをＷｅｂデザインに用いる機会が増えている。また、Ｗｅｂデザインに含まれたデジタル画像をユーザが切り出して加工することも可能になっており、コンテンツの著作者の著作権をユーザが侵害してしまうこと、及び、コンテンツが改ざんされてしまうことなどの問題があった。そこで、デジタル画像の改ざんを防止するために、デジタル証明書を電子透かし情報としてデジタル画像に埋め込むことは公知である（特許文献１参照）。
【０００３】
【特許文献１】特開２００３−２０４５１２号公報
【発明の開示】
【発明が解決しようとする課題】
【０００４】
しかしながら、上記従来例においては、証明書発行機関に対してデジタル証明書の発行を要求する必要があり、例えば著作権を有する画像データをＷｅｂデザインなどに用いる場合には、画像データの取り扱いに時間がかかってしまうという問題があった。
【０００５】
そこで、本発明は、例えば著作権を有する画像データの取り扱いを容易にすることができる画像データ構造、画像データ処理方法、画像データ処理プログラム及び画像データ処理装置を提供することを目的とする。
【課題を解決するための手段】
【０００６】
上記目的を達成するため、本発明の第１の特徴とするところは、少なくとも一部に画像データを有する第１のレイヤと、該第１のレイヤの画像に対して著作権を有する旨の著作権データを有する第２のレイヤとを有する画像データ構造にある。即ち、画像を有する第１のレイヤ、及び画像の著作権データを有する第２のレイヤが２層構造になっているので、著作権を有する第１のレイヤの画像データの取り扱いを容易にすることができる。
【０００７】
また、本発明の第２の特徴とするところは、少なくとも一部に画像データを有する第１のレイヤと、該第１のレイヤの画像に対して著作権を有する旨の著作権データを有する第２のレイヤとを有し、前記第２のレイヤの著作権データの表示・非表示を制御する画像データ処理方法にある。即ち、著作権を有する第１のレイヤの画像に対し、著作権データの表示・非表示が制御されるので、著作権を有する第１のレイヤの画像データの取り扱いを容易にすることができる。
【０００８】
好適には、前記第２のレイヤの著作権データの表示・非表示を著作権に対するライセンスキーの有無に応じて制御する。また、好適には、前記第２のレイヤの著作権データの表示・非表示を所定の時間情報に応じて制御する。したがって、ライセンスキーの有無又は時間情報に応じて著作権データの表示・非表示が制御されるので、著作権の侵害防止を促すことができる。
【０００９】
また、好適には、前記第１のレイヤは、編集可能にされている。即ち、第１のレイヤが編集されても、著作権を有する第１のレイヤの画像に対し、著作権データの表示・非表示が制御される。
【００１０】
また、本発明の第３の特徴とするところは、コンピュータを含む画像データ処理装置において、少なくとも一部に画像データを有する第１のレイヤと、該第１のレイヤの画像に対して著作権を有する旨の著作権データを有する第２のレイヤとを有する画像データ構造に対し、前記第２のレイヤの著作権データの表示・非表示を制御するステップを前記画像データ処理装置のコンピュータに実行させる画像データ処理プログラムにある。
【００１１】
また、本発明の第４の特徴とするところは、少なくとも一部に画像データを有する第１のレイヤと、該第１のレイヤの画像に対して著作権を有する旨の著作権データを有する第２のレイヤとを有する画像データ構造に対し、前記第２のレイヤの著作権データの表示・非表示を制御する表示制御手段を有する画像データ処理装置にある。
【００１２】
好適には、前記表示制御手段は、前記第２のレイヤの著作権データの表示・非表示を著作権に対するライセンスキーの有無又は所定の時間情報に応じて制御する。
【００１３】
また、好適には、前記第１のレイヤを編集する編集手段をさらに有し、前記表示制御手段は、前記編集手段が前記第１のレイヤを編集した場合にも、前記第２のレイヤの著作権データの表示・非表示を制御する。
【発明の効果】
【００１４】
本発明によれば、著作権を有する画像データの取り扱いを容易にすることができる。
【発明を実施するための最良の形態】
【００１５】
次に本発明の実施形態を図面に基づいて説明する。
図１において、本発明の実施形態に係る画像データ処理装置１が示されている。図１に示すように、画像データ処理装置１は、例えばネットワーク２に接続されたＰＣ（パーソナルコンピュータ）１０，１２及びサーバ１４を有する。また、ネットワーク２は、例えばインターネットを介して複数のユーザが使用する複数のＰＣに接続されてもよい。
【００１６】
ＰＣ１０は、例えばＷｅｂデザインを発注するクライアント側に配置されており、ＰＣ本体１００、キーボード及びマウスなどの入力装置１０２及びカラー画像を表示可能なＬＣＤ表示装置又はＣＲＴ表示装置などの表示装置１０４を有し、入力装置１０２を介して入力された設定などに応じて表示装置１０４に画像を表示する。ＰＣ１２は、例えばＷｅｂデザインを受注するデザイナー側に配置されており、ＰＣ本体１２０、キーボード及びマウスなどの入力装置１２２及びカラー画像を表示可能なＬＣＤ表示装置又はＣＲＴ表示装置などの表示装置１２４とを有し、入力装置１２２を介して入力された設定などに応じて表示装置１２４に画像を表示する。つまり、クライアント及びデザイナーは、それぞれＰＣ１０，１２によってＷｅｂデザイン（プロダクト）などの画像データを送受することができる。また、作成されたＷｅｂデザインは、インターネットを介して複数のユーザに閲覧可能にされる。
【００１７】
サーバ１４は、例えば後述するフォーマットの複数のコンテンツを記憶しており、ネットワーク２を介してコンテンツをＰＣ１０，１２などに対して送信する。また、サーバ１４が記憶しているコンテンツは例えば著作物であり、サーバ１４は、コンテンツそれぞれの使用許諾を確認するための例えば暗号化された文字列などのライセンスキーを記憶しており、Ｗｅｂデザインを発注するクライアント及びＷｅｂデザインを受注するデザイナーとコンテンツの著作者との間で、コンテンツに対するライセンス契約がなされた場合などにライセンスキーをＰＣ１０，１２に供給する。なお、ＰＣ１０，１２は、サーバ１４から供給されたライセンスキーを記憶するようにされている。
【００１８】
図２において、サーバ１４が記憶しているコンテンツ３のフォーマット（データ構造）が示されている。
図２に示すように、コンテンツ３は、例えばデザインされたデジタル画像又はデジタルカメラで撮像されたデジタル画像などの著作物であるデジタル画像からなるデザインレイヤ３０と、このデザインレイヤ３０の例えば下層に設けられた著作権情報レイヤ３２から構成される。著作権情報レイヤ３２は、例えばデザインレイヤ３０と同じ領域を有するデジタル画像であり、例えばデザインレイヤ３０の著作者、著作権に関する情報又はメッセージ（著作権を有する旨）などを示す情報画像（著作権データ）３２０を含んでいる。
このように、コンテンツ３は、２層構造のフォーマットになっており、例えばブラウザ及び画像編集ソフトウェアなどのＷｅｂデザインを表示可能なソフトウェアによって表示装置に表示させることができるようにされている。
【００１９】
図３において、ＰＣ１２などにより実行される画像編集ソフトウェア４の動作の概略が示されている。画像編集ソフトウェア４は、例えばＨＴＭＬ（Hyper Text Markup Language）文及びＨＴＭＬ文で用いられるコンテンツ３などの画像ファイルを受け入れ、コンテンツ３を含むＷｅｂデザインである表示画像５を表示装置１２４などを介して表示する。また、画像編集ソフトウェア４は、表示切替ソフトウェア４０が組み込まれており、ＰＣ１２に上述したライセンスキーが記憶されている場合には、表示切替ソフトウェア４０がライセンスキーを取得して表示画像５を所定の画像に切替えるようにされている。さらに、画像編集ソフトウェア４は、ＰＣ１２にライセンスキーが記憶されていない場合にも、図示しないタイマにより所定時間の経過を計測することによって、表示画像５を所定の画像に切替えるようにされてもよい。つまり、ライセンスキー又は経過時間は、表示切替ソフトウェア４０を制御する制御情報となっている。
また、ＰＣ１０，１２などにより実行されるブラウザは、画像を表示する表示機能に関しては、画像編集ソフトウェア４と同様の機能を有するものとする。
【００２０】
図４において、ＰＣ１０，１２にライセンスキーが記憶されていない場合（ライセンス未契約）に、画像編集ソフトウェア４又はブラウザによって表示されるコンテンツ３と、デザインレイヤ３０及び著作権情報レイヤ３２との関係が例示されている。
図４に示すように、ＰＣ１０，１２にライセンスキーが記憶されていない場合、コンテンツ３は、デザインレイヤ３０からなる著作物の画像に対し、例えば著作権情報レイヤ３２の情報画像３２０が下層から透過するように画像編集ソフトウェア４又はブラウザによって表示される。つまり、デザインレイヤ３０と著作権情報レイヤ３２とが重ねられ、デザインレイヤ３０からなる画像よりも情報画像３２０が優先して表示される。
【００２１】
次に、画像編集ソフトウェア４の動作について説明する。
図５は、デザインされた表示画像５に含まれたコンテンツ３が表示装置１２４により表示される状態の遷移を示す状態遷移図であって、（Ａ）はライセンスキーの有無に応じて表示状態が切替えられる場合の状態遷移図であり、（Ｂ）は所定の経過時間に応じて表示状態が切替えられる場合の状態遷移図である。
図５（Ａ）に示すように、コンテンツ３は、例えばＰＣ１２において、画像編集ソフトウェア４によりライセンスキーが取得されている（記憶されている）ことが確認されると、デザインレイヤ３０に情報画像３２０が透過して表示されている状態（状態Ｘ）から、デザインレイヤ３０のみが表示されている状態（状態Ｙ）に遷移する。
【００２２】
例えばデザイナーがコンテンツ３に対するライセンスを未契約の場合、例えば図６（Ａ）に示すように、表示画像５において、コンテンツ３に情報画像３２０が表示される。このように、コンテンツ３に対するライセンスを未契約の場合、コンテンツ３は、ライセンスに関するメッセージなどのコンテンツ３を取り扱う上で必要な情報がコンテンツ３そのものに明示的に表示された状態で、デザインされた表示画像５に含まれて表示される。また、コンテンツ３に対するライセンス契約が終了している場合、ライセンスキーが取得されているので、例えば図６（Ｂ）に示すように、表示画像５において、コンテンツ３には情報画像３２０が表示されない。
【００２３】
一方、コンテンツ３は、例えばライセンスキーを取得していないデザイナー及びユーザなどがブラウザ等によってコンテンツ３のダウンロード（Ｗｅｂデザインである表示画像５からコンテンツ３の切り出しなどを含む）をすると、デザインレイヤ３０のみが表示されている状態（状態Ｙ）から、デザインレイヤ３０に情報画像３２０が透過して表示されている状態（状態Ｘ）に遷移する。
【００２４】
また、コンテンツ３は、ライセンスキーが取得されていることが確認されない場合、画像編集ソフトウェア４によってＷｅｂデザインである表示画像５の表示、デザインレイヤ３０からなる画像の色、サイズ、形状及び解像度などが編集されても、デザインレイヤ３０に情報画像３２０が透過した状態で表示される。例えば図７（Ａ）に示すように、コンテンツ３に対し、トーン又は色の変更などの画像編集がされても、コンテンツ３には情報画像３２０が表示される。また、図７（Ｂ）に示すように、コンテンツ３に対し、トリミングなどのサイズ編集がされた場合には、著作権情報レイヤ３２のサイズも同様に編集される。ただし、コンテンツ３は、著作権情報レイヤ３２のサイズ等が編集されても、ライセンスキーが取得されていることが確認されない場合には、コンテンツ３に情報画像３２０が表示されるようになっている。
【００２５】
また、図５（Ｂ）に示すように、コンテンツ３は、例えばＰＣ１０が図示しないタイマにより時間の計測を行い、ブラウザなどによって時間経過が所定時間未満であることが確認されると、デザインレイヤ３０に情報画像３２０が透過して表示されている状態（状態Ｘ）から、デザインレイヤ３０のみが表示されている状態（状態Ｙ）に遷移するようにされ、所定時間の経過があったことが確認されると、デザインレイヤ３０のみが表示されている状態（状態Ｙ）から、デザインレイヤ３０に情報画像３２０が透過して表示されている状態（状態Ｘ）に遷移するようにされてもよい。
【００２６】
図８は、画像編集ソフトウェア４がコンテンツ３の表示状態を遷移させる処理（Ｓ１０）を示すフローチャートである。
図８に示すように、ステップ１００（Ｓ１００）において、画像編集ソフトウェア４は、ＨＴＭＬ文及びコンテンツ３などの表示画像５を出力するために必要なデータを取得する。
【００２７】
ステップ１０２（Ｓ１０２）において、画像編集ソフトウェア４は、コンテンツ３と共に、コンテンツ３に対するライセンスキーがＳ１００の処理において取得されたか否かを判断し、ライセンスキーが取得されている場合にはＳ１０４の処理に進み、ライセンスキーが取得されていない場合にはＳ１０６の処理に進む。つまり、画像編集ソフトウェア４は、例えばＰＣ１２にライセンスキーが記憶されているか否かを判断することができるようにされている。
【００２８】
ステップ１０４（Ｓ１０４）において、画像編集ソフトウェア４は、例えば表示装置１２４を介し、デザインレイヤ３０のみを表示する。
【００２９】
ステップ１０６（Ｓ１０６）において、画像編集ソフトウェア４は、例えば表示装置１２４を介し、デザインレイヤ３０に情報画像３２０を透過させて表示する。
【００３０】
次に、デザイナーによるＷｅｂデザインのデザイン開始から、クライアントに納品されたＷｅｂデザインが運用されるまでのワークフロー例について説明する。
図９は、デザイナーによるＷｅｂデザインのデザイン開始から、クライアントに納品されたＷｅｂデザインが運用されるまでのワークフロー例（Ｓ２０）を示すフローチャートである。なお、Ｓ２０のワークフローにおいては、Ｗｅｂデザインである表示画像５に対し、コンテンツ３に対応する複数のコンテンツそれぞれを素材とも記し、上述したライセンスキーを素材ライセンスキーと記す。
【００３１】
図９に示すように、ステップ２００（Ｓ２００）において、デザイナーは、例えば図１０（Ａ）に示す素材３００−１〜３００−３の中から、表示画像５に用いる素材（コンテンツ）を選定する作業を行う。なお、Ｓ２００においては、素材に対するライセンスは未契約である。
【００３２】
ステップ２０２（Ｓ２０２）において、デザイナーは、画像編集ソフトウェア４を用いて、例えば図１０（Ｂ）に示すように、Ｓ２００の処理において選定した素材３００−１，３００−２を含めた表示画像５のデザイン及び編集作業（素材３００−１，３００−２のトーン及びサイズの変更などを含む）を行う。なお、Ｓ２０２においては、素材に対するライセンスは未契約であり、素材３００−１，３００−２それぞれには情報画像３２０が表示されている。
【００３３】
ステップ２０４（Ｓ２０４）において、デザイナーは、例えば図１１に示すようにブラウザ（ＰＣ画面）によって表示画像５を表示することにより、クライアントに対してＷｅｂデザインのプレゼンテーション（トライアル）を行う。なお、Ｓ２０４においては、素材に対するライセンスは未契約であり、素材３００−１，３００−２それぞれには情報画像３２０が表示されている。
【００３４】
ステップ２０６（Ｓ２０６）において、クライアントは、素材３００−１，３００−２の選定、トーン及び表示画像５のデザインなどに対して良否判断を行い、表示画像５をＷｅｂデザイン（プロダクト）として承認する場合にはＳ２０８の処理に進み、承認しない場合にはＳ２００の処理に進む。つまり、クライアントは、素材３００−１，３００−２それぞれに情報画像３２０が表示された状態で、表示画像５に対して良否判断を行う。
【００３５】
ステップ２０８（Ｓ２０８）において、例えばデザイナー及びクライアントは、Ｓ２０６の処理において承認された素材に対し、素材の著作者とライセンス契約を行い、素材ライセンスキーを著作者から例えばサーバ１４を介して取得する。したがって、Ｓ２０６の処理において承認されなかった素材に対してはライセンス契約を行わないようにすることもできる。
【００３６】
ステップ２１０（Ｓ２１０）において、表示画像５は、図１２に示すように、素材ライセンスキーにより著作権情報レイヤ３２が非表示となるように例えばブラウザによって表示される。
【００３７】
ステップ２１２（Ｓ２１２）において、デザイナーがクライアントに対して表示画像５をＷｅｂデザイン（プロダクト）として納品することにより、Ｗｅｂデザインに対するデザインが終了し、クライアントはＷｅｂデザインの公開（運用）を開始する。
なお、クライアントが公開したＷｅｂデザインは、例えば図１３に示すように、素材３００−１を他の人（他のユーザ）がダウンロード（Ｗｅｂデザインである表示画像５から素材３００−１の切り出し）をすると、素材３００−１には情報画像３２０が表示される。
【図面の簡単な説明】
【００３８】
【図１】本発明の実施形態に係る画像データ処理装置の概要を示す構成図である。
【図２】サーバが記憶しているコンテンツのフォーマットを示す模式図である。
【図３】ＰＣにより実行される画像編集ソフトウェアの動作の概略を示すブロック図である。
【図４】ＰＣにライセンスキーが記憶されていない場合（ライセンス未契約）に、画像編集ソフトウェア又はブラウザによって表示されるコンテンツと、デザインレイヤ及び著作権情報レイヤとの関係を示す表示例である。
【図５】デザインされた表示画像に含まれたコンテンツが表示装置により表示される状態の遷移を示す状態遷移図であって、（Ａ）はライセンスキーの有無に応じて表示状態が切替えられる場合の状態遷移図であり、（Ｂ）は所定の経過時間に応じて表示状態が切替えられる場合の状態遷移図である。
【図６】表示画像の表示例であって、（Ａ）はコンテンツに情報画像が表示されている表示例であり、（Ｂ）はコンテンツに情報画像が表示されていない表示例である。
【図７】編集されたコンテンツの表示例であって、（Ａ）はトーン又は色の変更などの画像編集がされている表示例であり、（Ｂ）はトリミングなどのサイズ編集がされている表示例である。
【図８】画像編集ソフトウェアがコンテンツの表示状態を遷移させる処理（Ｓ１０）を示すフローチャートである。
【図９】デザイナーによるＷｅｂデザインのデザイン開始から、クライアントに納品されたＷｅｂデザインが運用されるまでのワークフロー例（Ｓ２０）を示すフローチャートである。
【図１０】コンテンツ（素材）の表示例であって、（Ａ）はデザイナーが素材を選択する場合の表示例であり、（Ｂ）は素材を含めた表示画像のデザイン及び編集作業後の表示例である。
【図１１】素材に対するライセンスが未契約の場合に、ブラウザ上に表示される表示画像の表示例である。
【図１２】素材に対するライセンス契約がなされた場合に、ブラウザ上に表示される表示画像の表示例である。
【図１３】素材を他の人（他のユーザ）がＷｅｂデザインからダウンロード（Ｗｅｂデザインである表示画像からの素材の切り出し）をした場合の素材の表示例である。
【符号の説明】
【００３９】
１・・・画像データ処理装置
１０，１２・・・ＰＣ
１００，１２０・・・ＰＣ本体
１０２，１２２・・・入力装置
１０４，１２４・・・表示装置
１４・・・サーバ
２・・・ネットワーク
３・・・コンテンツ
３０・・・デザインレイヤ
３２・・・著作権情報レイヤ
３２０・・・情報画像
４・・・画像編集ソフトウェア
４０・・・表示切替ソフトウェア
５・・・表示画像
【図１】
2006180051.tif 000003
【図２】
2006180051.tif 000004
【図３】
2006180051.tif 000005
【図４】
2006180051.tif 000006
【図５】
2006180051.tif 000007
【図６】
2006180051.tif 000008
【図７】
2006180051.tif 000009
【図８】
2006180051.tif 000010
【図９】
2006180051.tif 000011
【図１０】
2006180051.tif 000012
【図１１】
2006180051.tif 000013
【図１２】
2006180051.tif 000014
【図１３】
2006180051.tif 000015